(57)【要約】      （修正有）【課題】ホーゼルの底部に回転防止部材が設けられ、そして組合管が回転防止部材の一方に当接されることにより、加工の製造工程が行い易くなると共に、製品の精密度を高めることができる。【解決手段】ホーゼル１はゴルフクラブヘッドの上部５に位置し、ホーゼル１には開口１１が形成され、開口１１は上部５の外表面に露出するように形成される。回転防止部材２はホーゼル１内に固定され、そして少なくとも一個の第一位置決め部２２が形成され、第一位置決め部２２は開口１１の方に向くように形成される。組合管３はホーゼル１内に収容され、組合管３には回転防止部材２の第一位置決め部２２に係合するための第二位置決め部３３が形成され、組合管３はシャフト６の一端を収容するのに用いられる。固定スリーブ４はホーゼル１に結合されて組合管３とシャフト６を固定するように構成されている。【選択図】図２
0003140681.tif 000002
【実用新案登録請求の範囲】
【請求項１】
ホーゼル（１）、回転防止部材（２）、組合管（３）および固定スリーブ（４）を含むゴルフクラブヘッドの取外し可能な連接ユニットであって、ホーゼル（１）はゴルフクラブヘッドの上部（５）に位置すると共に、ホーゼル（１）には開口（１１）が形成されており、開口（１１）は上部（５）の外表面に露出するように形成され、回転防止部材（２）はホーゼル（１）内に固定され、回転防止部材（２）には少なくとも一個の第一位置決め部（２２）が形成され、第一位置決め部（２２）は開口（１１）の方に向くように形成され、組合管（３）はホーゼル（１）内に収容され、組合管（３）には回転防止部材（２）の第一位置決め部（２２）に係合するための少なくとも一個の第二位置決め部（３３）が形成され、組合管（３）はシャフト（６）の一端を収容するのに用いられ、固定スリーブ（４）はホーゼル（１）に結合されて組合管（３）とシャフト（６）を固定するように形成されることを特徴とするゴルフクラブヘッドの取外し可能な連接ユニット。
【請求項２】
ホーゼル（１）には他に第一係止部（１３）が形成され、第一係止部（１３）はホーゼル（１）内において開口（１１）から遠く離れる一端に位置するように形成され、そして回転防止部材（２）には他に第二係止部（２１）が形成され、第二係止部（２１）は第一係止部（１３）に向くように係止して結合されることを特徴とする請求項１記載のゴルフクラブヘッドの取外し可能な連接ユニット。
【請求項３】
第一係止部（１３）は通孔であり、そして第二係止部（２１’）はねじ桿であり、ねじ桿（２１’）は通孔（１３）を貫穿してナット（１４）と螺合するのに用いられると共に、ホーゼル（１）と回転防止部材（２）との相対位置を固定するように形成されることを特徴とする請求項２記載のゴルフクラブヘッドの取外し可能な連接ユニット。
【請求項４】
ホーゼル（１”）には他に通孔（１５）が形成され、そして回転防止部材（２”）には他に挿入孔（２３）が形成され、挿入口（２３）と通孔（１５）は互いに位置合せしてピン（１６）が挿入するのに用いられると共に、さらにホーゼル（１”）と回転防止部材（２”）との相対位置を固定するように形成されることを特徴とする請求項２記載のゴルフクラブヘッドの取外し可能な連接ユニット。
【請求項５】
回転防止部材（２）はホーゼル（１）内において開口（１１）から遠く離れる側の一端に固定されることを特徴とする請求項１記載のゴルフクラブヘッドの取外し可能な連接ユニット。
【請求項６】
シャフト（６）は組合管（３）の挿入口（３２）を貫穿して組合管（３）内に収容され、そして組合管（３）には他に複数個の嵌合爪（３５）が形成され、嵌合爪（３５）は挿入口（３２）の周縁に配置され、嵌合爪（３５）は固定スリーブ（４）が押圧するのに用いられることを特徴とする請求項１記載のゴルフクラブヘッドの取外し可能な連接ユニット。
【請求項７】
ホーゼル（１）には他に内ねじ（１２）が形成され、内ねじ（１２）はホーゼル（１）の内周面において開口（１１）に隣接するように設けられ、そして固定スリーブ（４）には他に外ねじ（４１）が形成され、外ねじ（４１）は固定スリーブ（４）の外周面において内ねじ（１２）に隣接するように設けられ、外ねじ（４１）を内ねじ（１２）に螺合することにより、固定スリーブ（４）とホーゼル（１）を結合することを特徴とする請求項１記載のゴルフクラブヘッドの取外し可能な連接ユニット。
【請求項８】
固定スリーブ（４）の内周面には押圧面（４２）が形成され、押圧面（４２）は組合管（３）によりシャフト（６）を押圧して固定するように形成されることを特徴とする請求項１記載のゴルフクラブヘッドの取外し可能な連接ユニット。
【考案の詳細な説明】
【技術分野】
【０００１】
本考案は、ゴルフクラブヘッドの取外し可能な連接ユニットに関するもので、特に回転防止部材をホーゼルの底端に固設して組合管により取外し可能にシャフトと結合することができるゴルフクラブヘッドの取外し可能な連接ユニットに係るものである。
【背景技術】
【０００２】
従来のゴルフクラブヘッドの取外し可能な連接ユニットの構造としては、アメリカ特許番号第７，１１５，０４６号の「取外し可能なヘッドとシャフトの連接部材を有するゴルフクラブヘッド（Golf Club with Interchangeable Head-Shaft Connection）」においては、ヘッド、スリーブ、固定部材およびシャフトが含まれている。上記ヘッドには上記スリーブが穿設するためのホーゼルが設けられる。上記スリーブの一端は上記ヘッドから露出すると共に、上記スリーブには上記シャフトが挿入するための開口が形成され、上記スリーブが上記開口に近接する外周面には外ねじ部が設けられ、そして上記外ねじ部から上記ヘッドから遠く離れる方向に沿って延伸するように複数個の爪部が形成される。上記スリーブのもう一端の内端面には固定リブが設けられ、さらに上記スリーブにおいて上記固定リブを有する一端の外表面は粘着剤を利用して上記ヘッドのホーゼルの内側の壁面に粘着される。上記固定部材は上記スリーブとシャフトが穿設して通過するのに用いられ、さらに上記固定部材の内表面には内ねじ部が環設され、上記内ねじ部は上記ヘッドに近接するように環設されることにより、上記スリーブの外ねじ部と螺合することができる。その他に、上記シャフトが上記スリーブに挿入する端面には固定溝が設けられ、上記固定溝は上記スリーブの固定リブに結合されるようにとしたものがある（例えば、特許文献１を参照）。
【０００３】
上記従来のゴルフクラブヘッドの取外し可能な連接ユニットの構造を結合しようとする時、先ず上記シャフトを上記固定部材に貫穿し、そして上記スリーブの開口から上記スリーブ内に挿入することにより、上記シャフトの固定溝を上記スリーブの固定リブに対応するように結合する。それから、上記固定部材を上記スリーブの爪部の半径方向の外周面に被覆し、さらに上記固定部材の内ねじ部を上記外ねじ部に位置合せして螺合を行うことにより、上記固定部材の内周面を上記スリーブの爪部の半径方向の外周面に圧迫させるため、上記爪部の半径方向の内周面も上記シャフトを緊密に圧迫するように形成される。上述した構造と操作を利用することにより、上記スリーブと固定部材を通して取外し可能に上記ヘッドとシャフトを緊密に結合することができる。その中に、上記スリーブの内端面とシャフトに設けられる固定リブと固定溝は上記スリーブとシャフトとの間の半径方向の相対の位置を固定するのに用いられる、すなわち、上記スリーブと固定部材を螺合する時、上記シャフトが上記固定部材の連動により回転するのを避けることができる。さらに上記固定リブと固定溝により上記スリーブとシャフトとの間の接触面積を増やすことができるため、両者の間の結合の強度をさらに強化することができる。
【特許文献１】アメリカ特許番号第７，１１５，０４６号公報
【考案の開示】
【考案が解決しようとする課題】
【０００４】
上記のような従来のゴルフクラブヘッドの取外し可能な連接ユニットの構造においては、一般として次のような問題点を有している。例えば、上記固定リブは上記スリーブの一端の内端面に突出するように設けられるため、鋳造により上記スリーブを完成した後、長い方の刀具を利用して加工の作業を行わなければならず、このような製造工程では加工の困難度を増やすばかりか、長い方の刀具も加工の過程において折れ易くなるという問題点を有している。また、上記スリーブと上記ヘッドのホーゼルとの間には粘着剤により粘着されるため、長時間の使用により上記スリーブが上記ホーゼルから脱落し易くなるという問題点を有している。このように、上記のような従来のゴルフクラブヘッドの取外し可能な連接ユニットの構造をさらに改良しなければならない。
【０００５】
本考案の第一の目的は、ホーゼルの底部に回転防止部材が設けられ、そして組合管が上記回転防止部材の一方に当接されることにより、加工の製造工程が行い易くなると共に、製品の精密度を高めることができるゴルフクラブヘッドの取外し可能な連接ユニットを提供しようとするものである。
【０００６】
本考案の第二の目的は、ホーゼルに位置するように通孔が形成され、回転防止部材の第二係止部が上記通孔を貫穿してナットと結合することにより、さらに安定してホーゼルと回転防止部材の相対の位置を固定することができるゴルフクラブヘッドの取外し可能な連接ユニットを提供しようとするものである。
【０００７】
本考案の第三の目的は、回転防止部材には挿入孔が形成され、ホーゼルには通孔が形成され、ピンを利用して通孔から挿入孔に挿入することにより、さらに安定してホーゼルと回転防止部材の相対の位置を固定することができるゴルフクラブヘッドの取外し可能な連接ユニットを提供しようとするものである。
【課題を解決するための手段】
【０００８】
上記目的を達成するために、本考案によるゴルフクラブヘッドの取外し可能な連接ユニットは、ホーゼル、回転防止部材、組合管および固定スリーブを含む。ホーゼルはゴルフクラブヘッドの上部に位置すると共に、ホーゼルには開口が形成され、開口は上部の外表面に露出するように形成される。回転防止部材はホーゼル内に固定され、回転防止部材には少なくとも一個の第一位置決め部が形成され、第一位置決め部は開口の方に向くように形成される。組合管はホーゼル内に収容され、組合管には回転防止部材の第一位置決め部に係合するための少なくとも一個の第二位置決め部が形成され、組合管はシャフトの一端を収容するのに用いられる。固定スリーブはホーゼルに結合されて組合管とシャフトを固定するように形成される。
【０００９】
本考案によるゴルフクラブヘッドの取外し可能な連接ユニットは、ホーゼルには他に第一係止部が形成され、第一係止部はホーゼル内において開口から遠く離れる一端に位置するように形成され、そして回転防止部材には他に第二係止部が形成され、第二係止部は第一係止部に向くように係止して結合されることもできる。第一係止部は通孔であり、そして第二係止部はねじ桿であり、ねじ桿は通孔を貫穿してナットと螺合するのに用いられると共に、ホーゼルと回転防止部材との相対の位置を固定するように形成されることもできる。また、ホーゼルには他に通孔が形成され、そして回転防止部材には他に挿入孔が形成され、挿入口と通孔は互いに位置合せしてピンが挿入するのに用いられると共に、さらにホーゼルと回転防止部材との相対の位置を固定するように形成されることもできる。また、回転防止部材はホーゼル内において開口から遠く離れる一端に固定されることもできる。また、シャフトは組合管の挿入口を貫穿して組合管内に収容され、そして組合管には他に複数個の嵌合爪が形成され、嵌合爪は挿入口の周縁に配置され、嵌合爪は固定スリーブが押圧するのに用いられることもできる。また、ホーゼルには他に内ねじが形成され、内ねじはホーゼルの内周面において開口に隣接するように設けられ、そして固定スリーブには他に外ねじが形成され、外ねじは固定スリーブの外周面において内ねじに隣接するように設けられ、外ねじを内ねじに螺合することにより、固定スリーブとホーゼルを結合することもできる。また、固定スリーブの内周面には押圧面が形成され、押圧面は組合管によりシャフトを押圧して固定するように形成されることもできる。
【考案の効果】
【００１０】
本考案のゴルフクラブヘッドの取外し可能な連接ユニットによれば、ホーゼルの底部に回転防止部材が設けられ、そして組合管が上記回転防止部材の一方に当接されることにより、加工の製造工程が行い易くなると共に、製品の精密度を高めることができるという利点がある。
【００１１】
本考案のゴルフクラブヘッドの取外し可能な連接ユニットによれば、ホーゼルに位置するように通孔が形成され、回転防止部材の第二係止部が上記通孔を貫穿してナットと結合することにより、さらに安定してホーゼルと回転防止部材の相対の位置を固定することができるという利点がある。
【００１２】
本考案のゴルフクラブヘッドの取外し可能な連接ユニットによれば、回転防止部材に挿入孔が形成され、ホーゼルに通孔が形成され、ピンを利用して通孔から挿入孔に挿入することにより、さらに安定してホーゼルと回転防止部材の相対の位置を固定することができるという利点がある。
【考案を実施するための最良の形態】
【００１３】
本考案の実施の形態について、以下、図面を参照して説明する。
【実施例１】
【００１４】
図１、２、３を参照すると、本考案の実施例１のゴルフクラブヘッドの取外し可能な連接ユニットにはホーゼル１、回転防止部材２、組合管３および固定スリーブ４が含まれており、その内にホーゼル１は一体成形によりゴルフクラブヘッドの上部５に形成される。
【００１５】
ホーゼル１には開口１１、内ねじ１２と第一係止部１３が形成される。開口１１はホーゼル１の一端に設けられ、そして開口１１は上部５の外表面に露出するように形成される。内ねじ１２はホーゼル１の内周面に環設され、そして内ねじ１２は開口１１に隣接するように設けられる。第一係止部１３はホーゼル１のもう一端に設けられ、第一係止部１３は選択的に孔または突出体からなることができる。
【００１６】
回転防止部材２には第二係止部２１と少なくとも一個の第一位置決め部２２が形成され、そして回転防止部材２はちょうど開口１１を貫穿してホーゼル１に挿入することができると共に、ホーゼル１の開口１１から遠く離れる一端に固定される。第二係止部２１は回転防止部材２の一方に位置すると共に、ホーゼル１の第一係止部１３に向くように形成され、さらに第二係止部２１の形状は第一係止部１３とは互いに補うように突出体または孔からなることができるため、第一係止部１３と対応するように嵌合することができる。第一位置決め部２２は回転防止部材２のもう一方に設けられ、そして開口１１に向くように設けられる。回転防止部材２は第一係止部１３と第二係止部２１によりホーゼル１内に係止して位置決めされ、そして溶接の製造工程によりホーゼル１に固定することができる。その他に、第一係止部１３と第二係止部２１はそれぞれ非正円形の孔または突出体からなる場合は、選択的に上記溶接の製造工程を省略することができる。
【００１７】
組合管３には収容空間３１、挿入口３２、少なくとも一個の第二位置決め部３３、複数個の区切り溝３４と複数個の嵌合爪３５が形成され、そして組合管３はちょうどホーゼル１内に収容されることができる。収容空間３１は組合管３内に設けられ、そして挿入口３２は組合管３の一端に位置するように、さらにホーゼル１の開口１１に近接するように形成されることにより、シャフト６の一端は挿入口３２を貫穿して収容空間３１内に収容される。第二位置決め部３３は組合管３のもう一端に位置し、そして回転防止部材２の第一位置決め部２２に向くように形成されることにより、第一位置決め部２２と互いに嵌合することができるため、回転防止部材２により組合管３がホーゼル１に対して回転するのを防止することができる。区切り溝３４は挿入口３２に連接され、そして一方の方向に沿って延伸するように形成されることにより、挿入口３２の周縁には複数個の嵌合爪３５が形成され、その内に区切り溝３４の延伸方向は挿入口３２から第二位置決め部３３に向かって延伸するように形成される。
【００１８】
固定スリーブ４には外ねじ４１と押圧面４２が形成され、そして固定スリーブ４は嵌合爪３５の少なくとも一部分を収容すると共に、固定スリーブ４はシャフト６が貫穿するのに用いられる。外ねじ４１は固定スリーブ４の外周面に設けられ、そしてホーゼル１の内ねじ１２に隣接するように設けられることにより、外ねじ４１は内ねじ１２と互いに螺合することができる。押圧面４２は固定スリーブ４の内周面に設けられ、そして組合管３の嵌合爪３５に隣接して組合管３の嵌合爪３５を押圧するように形成されることにより、固定スリーブ４は押圧面４２と嵌合爪３５によりシャフト６と組合管３の相対の位置を嵌合して固定することができる。これにより、固定スリーブ４は安定してホーゼル１と組合管３を結合して固定することができる。
【００１９】
再び図１、２、３を参照すると、本考案の実施例１のゴルフクラブヘッドの取外し可能な連接ユニットを組み立てようとする時、先ず回転防止部材２をホーゼル１内に挿入し、そして回転防止部材２の第二係止部２１をホーゼル１の第一係止部１３に係止して結合し、その内に回転防止部材２とホーゼル１との間には選択的に溶接の方式により固定することができる。それから、組合管３をホーゼル１内に挿入し、そして回転防止部材２の第一位置決め部２２に連接することにより、第二位置決め部３３を第一位置決め部２２に嵌合することができる。シャフト６の一端を組合管３の挿入口３２に通過させて収容空間３１内に収容させる。固定スリーブ４を組合管３の嵌合爪３５の外周面に被覆させ、固定スリーブ４が外ねじ４１と内ねじ１２によりホーゼル１にねじ込まれた時、押圧面４２が嵌合爪３５を圧迫することにより、嵌合爪３５は緊密にシャフト６を嵌合することができる。これにより、固定スリーブ４は回転防止部材２、組合管３とシャフト６の一端をホーゼル１内に位置決めすることにより、ホーゼル１とシャフト６を連接することができる。これにより、ホーゼル１から独立した回転防止部材２は加工工程を行い易くなり、そして加工を完成してから始めてホーゼル１内に入れることができる。
【実施例２】
【００２０】
図４、５を参照すると、本考案の実施例２のゴルフクラブヘッドの取外し可能な連接ユニットが掲示される。実施例１における回転防止部材２と比較してみると、実施例２における回転防止部材２’にはねじ桿状の第二係止部２１’が形成され、そして実施例２におけるホーゼル１の第一係止部１３は選択的に通孔からなるように形成される。これにより、回転防止部材２’がホーゼル１に入れられた後、第二係止部２１’は第一係止部１３を貫穿し、そしてナット１４を利用して第二係止部２１’を螺合することにより、さらに安定してホーゼル１と回転防止部材２’の相対の位置を固定することができる。
【実施例３】
【００２１】
図６、７を参照すると、本考案の実施例３のゴルフクラブヘッドの取外し可能な連接ユニットが掲示される。実施例１における回転防止部材２と比較してみると、実施例３における回転防止部材２”には他に挿入孔２３が形成され、さらに実施例３のホーゼル１”には他に通孔１５とピン１６が形成される。挿入孔２３は第二係止部２１と第一位置決め部２２との間に設けられ、そして回転防止部材２”の半径方向の外周面から延伸して回転防止部材２”に進入したりまたは回転防止部材２”を貫穿したりするように形成される。通孔１５はホーゼル１の半径方向の周壁を貫穿するように形成され、そして通孔１５は回転防止部材２”の挿入孔２３と位置合わせるように形成される。ピン１６は通孔１５から挿入孔２３に進入するように形成される。これにより、さらに安定してホーゼル１”と回転防止部材２”の相対の位置を固定することができる。
【産業上の利用可能性】
【００２２】
上述の如く、従来のゴルフクラブヘッドの取外し可能な連接ユニットでは、固定リブが一体成形になるようにスリーブの一端の内端面に突出して設けられることにより、鋳造により上記スリーブを完成した後、長い方の刀具を利用して加工作業を行わなければならないため、加工の困難度を増やすばかりか、長い方の刀具も加工の過程において摩損率が高くなるという問題点があり、さらに上記スリーブと上記ヘッドのホーゼルとの間には粘着剤により粘着されるため、長時間の使用により上記スリーブが上記ホーゼルから脱落し易くなるという問題点があったが、図２に示す本考案のゴルフクラブヘッドの取外し可能な連接ユニットによれば、ホーゼル１から独立した回転防止部材２は加工を完成してから始めてホーゼル１内に入れるため、さらに固定スリーブ４をホーゼル１に螺合することにより、ホーゼル１、回転防止部材２、組合管３と固定スリーブ４との相対の位置を同時に固定することができるため、加工の困難度を低く抑えることができると共に、刀具の摩損率を低く抑えることができ、さらにそれぞれの部材の間の結合の強度を高めることができる。
【００２３】
本考案は、その精神及び必須の特徴事項から逸脱することなく他のやり方で実施することができる。従って、本明細書に記載した好ましい実施例は例示的なものであり、限定的なものではない。
【図面の簡単な説明】
【００２４】
【図１】本考案の実施例１のゴルフクラブヘッドの取外し可能な連接ユニットによる組み立てられた状態の正面図である。
【図２】本考案の実施例１のゴルフクラブヘッドの取外し可能な連接ユニットによる局部拡大斜視図である。
【図３】本考案の実施例１のゴルフクラブヘッドの取外し可能な連接ユニットによる組み立てられた状態の局部拡大断面図である。
【図４】本考案の実施例２のゴルフクラブヘッドの取外し可能な連接ユニットによる局部拡大斜視図である。
【図５】本考案の実施例２のゴルフクラブヘッドの取外し可能な連接ユニットによる組み立てられた状態の局部拡大断面図である。
【図６】本考案の実施例３のゴルフクラブヘッドの取外し可能な連接ユニットによる局部拡大斜視図である。
【図７】本考案の実施例３のゴルフクラブヘッドの取外し可能な連接ユニットによる組み立てられた状態の局部拡大断面図である。
【符号の説明】
【００２５】
１    ホーゼル                        １”    ホーゼル
１１    開口                          １２    内ねじ
１３    第一係止部                    １４    ナット
１５    通孔                          １６    ピン
２    回転防止部材                    ２’    回転防止部材
２”    回転防止部材                ２１    第二係止部
２１’    第二係止部                  ２２    第一位置決め部
２３    挿入孔                          ３    組立管
３１    収容空間                      ３２    挿入口
３３    第二位置決め部                ３４    区切り溝
３５    嵌合爪                          ４    固定スリーブ
４１    外ねじ                        ４２    押圧面
５    上部                            ６    シャフト
【図１】
0003140681.tif 000003
【図２】
0003140681.tif 000004
【図３】
0003140681.tif 000005
【図４】
0003140681.tif 000006
【図５】
0003140681.tif 000007
【図６】
0003140681.tif 000008
【図７】
0003140681.tif 000009